(57)【要約】【課題】従来から用いられている面積の大きな指紋採取シートを用いた場合であっても、証拠品としての取り扱いが容易であって、かつ、採取した指紋について改ざんを防止できる指紋封止シール、指紋封止方法を提供する。【解決手段】透明基材層２０１と指紋を採取する指紋採取層２０２と採取シート台紙２０３とを有する指紋採取シート２００に対して貼り付けて使用される指紋封止シール１００であって、表面に情報の表示が可能な情報表示領域１００ａを有するシール本体１１０と、シール本体１１０の裏面側に直接又は間接的に積層して設けられた粘着性を有する粘着層１２０と、粘着層１２０に対して仮着された封止シール台紙１３０と、シール本体１１０における情報表示領域１００ａの外周に設けられたタンパーカット１００ｄと、指紋採取シート２００に対して貼り付けるときに折り曲げる予定となる位置に設けられた折り曲げ予定位置表示部１００ｂとを備える。【選択図】図１
2011188902.tif 000002
【特許請求の範囲】
【請求項１】
透明基材層と指紋を採取する指紋採取層と採取シート台紙とを有する指紋採取シートに対して貼り付けて使用される指紋封止シールであって、
表面に情報の表示が可能な情報表示領域を有するシール本体と、
前記シール本体の裏面側に直接又は間接的に積層して設けられた粘着性を有する粘着層と、
前記粘着層に対して仮着された封止シール台紙と、
前記シール本体における前記情報表示領域の外周及び／又は前記情報表示領域内に設けられた貼り替え防止用切り込みと、
前記指紋採取シートに対して貼り付けるときに折り曲げる予定となる位置に設けられた折り曲げ予定位置表示部と、
を備える指紋封止シール。
【請求項２】
請求項１に記載の指紋封止シールにおいて、
前記封止シール台紙には、スリットが設けられていること、
を特徴とする指紋封止シール。
【請求項３】
請求項２に記載の指紋封止シールにおいて、
前記封止シール台紙の前記スリットは、前記折り曲げ予定位置表示部により表示される折り曲げ予定位置に沿って設けられていること、
を特徴とする指紋封止シール。
【請求項４】
請求項１から請求項３までのいずれか１項に記載の指紋封止シールにおいて、
前記情報表示領域は、一枚の当該指紋封止シールに複数の領域が設けられており、
前記シール本体及び前記封止シール台紙には、複数の前記情報表示領域を分離可能とさせるように切り取り容易化部が形成されていること、
を特徴とする指紋封止シール。
【請求項５】
透明基材層と指紋を採取する指紋採取層と採取シート台紙とを有する指紋採取シートに採取した指紋を封止する指紋封止方法であって、
表面に情報の表示が可能な情報表示領域を有するシール本体と、
前記シール本体の裏面側に直接又は間接的に積層して設けられた粘着性を有する粘着層と、
前記粘着層に対して仮着された封止シール台紙と、
前記シール本体における前記情報表示領域の外周及び／又は前記情報表示領域内に設けられた貼り替え防止用切り込みと、
前記指紋採取シートに対して貼り付けるときに折り曲げる予定となる位置に設けられた折り曲げ予定位置表示部とを備える指紋封止シールを用意し、
前記粘着層から前記封止シール台紙を剥がし、
前記情報表示領域に対応する位置の前記粘着層を前記指紋採取層に採取した指紋と重なる位置、かつ、前記折り曲げ予定位置表示部により表示される折り曲げ予定位置を前記指紋採取シートの一端部と略重なる位置となるように、前記指紋封止シールを前記透明基材層に貼り付け、
前記折り曲げ予定位置表示部により表示される折り曲げ予定位置を挟んで前記情報表示領域とは反対側に残る部分を折り返して前記採取シート台紙に貼り付けること、
を特徴とする指紋封止方法。
【発明の詳細な説明】
【技術分野】
【０００１】
本発明は、犯罪捜査において採取した指紋を封止する指紋封止シール、指紋封止方法に関するものである。
【背景技術】
【０００２】
犯罪捜査において指紋が重要な証拠として採用されている。指紋の採取を行うときには、指紋が付いた面に微粒子状の粉をふりかけ、指紋の稜線に沿って残る粉を指紋採取シートの粘着層に転写している（例えば、特許文献１）。
【０００３】
指紋を証拠として用いる場合、いつ、どこで、誰が採取したのかといった指紋採取に関する情報が、採取した指紋と１対１で関連付けられていることが必要である。また、採取後に指紋自体をすり替えられたり、上述の指紋採取に関する情報が改ざんされたりすることが無いようにすることも必要である。
【０００４】
特許文献１の鑑識用シートでは、台紙の裏面に記載欄が印刷されており、採取した指紋に関する情報を記入できるようになっている。
また、特許文献２には、指紋採取部と情報記録部とを保護フィルムで覆い、指紋の保護と記録内容の改ざん防止を行う技術が開示されている。
【先行技術文献】
【特許文献】
【０００５】
【特許文献１】特開２００６−８７８４号公報
【特許文献２】国際公開第２００７／０４３１６９号
【発明の概要】
【発明が解決しようとする課題】
【０００６】
しかし、特許文献１のように台紙の裏面に記載を行う形態では、採取した指紋と台紙とは簡単に剥がせることから、記載内容を改ざんして貼り直したり、指紋自体をすり替えたりすることが容易に行えるという問題があった。
また、特許文献２の形態では、改ざん防止効果は得られるものの、指紋採取部の大きさが限られてしまい、使い勝手が悪かった。すなわち、捜査現場では、様々な部位から指紋を採取しなければならず、指紋採取部の大きさが小さいと、その範囲内に指紋を上手に採取することが困難になる場合がある。よって、従来から、指紋採取に用いる指紋採取シートとして、十分に面積の大きな指紋採取シートを用いて指紋採取を行い、指紋採取後に、必要な部分だけを切り取って証拠として保管することが多かった。
【０００７】
本発明の課題は、従来から用いられている面積の大きな指紋採取シートを用いた場合であっても、証拠品としての取り扱いが容易であって、かつ、採取した指紋について改ざんを防止できる指紋封止シール、指紋封止方法を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
【０００９】
請求項１の発明は、透明基材層（２０１）と指紋を採取する指紋採取層（２０２）と採取シート台紙（２０３）とを有する指紋採取シート（２００）に対して貼り付けて使用される指紋封止シール（１００）であって、表面に情報の表示が可能な情報表示領域（１００ａ）を有するシール本体（１１０）と、前記シール本体の裏面側に直接又は間接的に積層して設けられた粘着性を有する粘着層（１２０）と、前記粘着層に対して仮着された封止シール台紙（１３０）と、前記シール本体における前記情報表示領域の外周及び／又は前記情報表示領域内に設けられた貼り替え防止用切り込み（１００ｄ）と、前記指紋採取シートに対して貼り付けるときに折り曲げる予定となる位置に設けられた折り曲げ予定位置表示部（１００ｂ）と、を備える指紋封止シールである。
【００１０】
請求項２の発明は、請求項１に記載の指紋封止シール（１００）において、前記封止シール台紙（１３０）には、スリット（１００ｅ）が設けられていること、を特徴とする指紋封止シールである。
【００１１】
請求項３の発明は、請求項２に記載の指紋封止シール（１００）において、前記封止シール台紙（１３０）の前記スリット（１００ｅ）は、前記折り曲げ予定位置表示部（１００ｂ）により表示される折り曲げ予定位置に沿って設けられていること、を特徴とする指紋封止シールである。
【００１２】
請求項４の発明は、請求項１から請求項３までのいずれか１項に記載の指紋封止シール（１００）において、前記情報表示領域（１００ａ）は、一枚の当該指紋封止シールに複数の領域が設けられており、前記シール本体（１１０）及び前記封止シール台紙（１３０）には、複数の前記情報表示領域を分離可能とさせるように切り取り容易化部（１００ｃ）が形成されていること、を特徴とする指紋封止シールである。
【００１３】
請求項５の発明は、透明基材層（２０１）と指紋を採取する指紋採取層（２０２）と採取シート台紙（２０３）とを有する指紋採取シート（２００）に採取した指紋を封止する指紋封止方法であって、表面に情報の表示が可能な情報表示領域（１００ａ）を有するシール本体（１１０）と、前記シール本体の裏面側に直接又は間接的に積層して設けられた粘着性を有する粘着層（１２０）と、前記粘着層に対して仮着された封止シール台紙（１３０）と、前記シール本体における前記情報表示領域の外周及び／又は前記情報表示領域内に設けられた貼り替え防止用切り込み（１００ｃ）と、前記指紋採取シートに対して貼り付けるときに折り曲げる予定となる位置に設けられた折り曲げ予定位置表示部（１００ｂ）とを備える指紋封止シール（１００）を用意し、前記粘着層から前記封止シール台紙を剥がし、前記情報表示領域に対応する位置の前記粘着層を前記指紋採取層に採取した指紋と重なる位置、かつ、前記折り曲げ予定位置表示部により表示される折り曲げ予定位置を前記指紋採取シートの一端部と略重なる位置となるように、前記指紋封止シールを前記透明基材層に貼り付け、前記折り曲げ予定位置表示部により表示される折り曲げ予定位置を挟んで前記情報表示領域とは反対側に残る部分を折り返して前記採取シート台紙に貼り付けること、を特徴とする指紋封止方法である。
【発明の効果】
【００１４】
本発明によれば、以下の効果を奏することができる。
【００１５】
（１）指紋封止シールは、表面に情報の表示が可能な情報表示領域を有するシール本体と、シール本体の裏面側に直接又は間接的に積層して設けられた粘着性を有する粘着層と、粘着層に対して仮着された封止シール台紙と、シール本体における情報表示領域の外周及び／又は情報表示領域内に設けられた貼り替え防止用切り込みと、指紋採取シートに対して貼り付けるときに折り曲げる予定となる位置に設けられた折り曲げ予定位置表示部とを備える。したがって、従来から用いられている面積の大きな指紋採取シートを用いた場合であっても、証拠品としての取り扱いが容易であって、かつ、採取した指紋について改ざんを防止できる。
【００１６】
（２）指紋封止シールの封止シール台紙には、スリットが設けられているので、封止シール台紙を粘着層から剥がす作業を容易に行える。
【００１７】
（３）封止シール台紙のスリットは、折り曲げ予定位置表示部により表示される折り曲げ予定位置に沿って設けられているので、折り曲げ予定位置を指紋採取シートの一端部と略重なる位置となるように、指紋封止シールを透明基材層に貼り付ける作業を容易に行える。
【００１８】
（４）指紋封止シールの情報表示領域は、一枚の当該指紋封止シールに複数の領域が設けられており、シール本体及び封止シール台紙には、複数の情報表示領域を分離可能とさせるように切り取り容易化部が形成されているので、一枚にまとまった指紋封止シールから複数枚の指紋封止シールを切り取って指紋採取シートに採取した指紋を封止することができる。
【００１９】
（５）指紋封止方法は、シール本体と、粘着層と、封止シール台紙と、貼り替え防止用切り込みと、折り曲げ予定位置表示部とを備える指紋封止シールを用意し、粘着層から封止シール台紙を剥がし、情報表示領域に対応する位置の粘着層を指紋採取層に採取した指紋と重なる位置、かつ、折り曲げ予定位置表示部により表示される折り曲げ予定位置を指紋採取シートの一端部と略重なる位置となるように、指紋封止シールを透明基材層に貼り付け、折り曲げ予定位置表示部により表示される折り曲げ予定位置を挟んで情報表示領域とは反対側に残る部分を折り返して採取シート台紙に貼り付ける。したがって、従来から用いられている面積の大きな指紋採取シートを用いた場合であっても、証拠品としての取り扱いが容易であって、かつ、採取した指紋について改ざんを防止できる。
【図面の簡単な説明】
【００２０】
【図１】本発明による指紋封止シール１００の実施形態を示す図である。
【図２】指紋封止シール１００の裏面図である。
【図３】本実施形態の指紋封止シール１００により封止される指紋採取シート２００を示す図である。
【図４】指紋封止シール１００を用いて指紋採取シート２００により採取した指紋を封止する第１の過程を示す図である。
【図５】指紋封止シール１００を用いて指紋採取シート２００により採取した指紋を封止する第２の過程を示す図である。
【図６】指紋封止シール１００を用いて指紋採取シート２００により採取した指紋を封止する第３の過程を示す図である。
【図７】指紋封止シール１００を用いて指紋採取シート２００により採取した指紋を封止する第４の過程を示す図である。
【図８】指紋封止シール１００を用いて封止した指紋採取シート２００を利用するときの状態を示す図である。
【発明を実施するための形態】
【００２１】
以下、本発明を実施するための最良の形態について図面等を参照して説明する。
【００２２】
（実施形態）
図１は、本発明による指紋封止シール１００の実施形態を示す図である。図１（ａ）は、指紋封止シールの表面図を示しており、図１（ｂ）は、指紋封止シールを図１（ａ）中に示した矢印ＡＡにおいて切断した断面図を示している。
図２は、指紋封止シール１００の裏面図である。
なお、図１及び図２を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２３】
指紋封止シール１００は、表面側（図１（ｂ）では上側が表面）から、シール本体１１０と、粘着層１２０と、封止シール台紙１３０とを順に積層して形成されている。
【００２４】
シール本体１１０は、表面層１１１と、接着層１１２と、基材層１１３とを有している。
表面層１１１は、指紋封止シール１００の最表面に設けられた層であり、筆記特性に優れ、印刷及び捺印が可能なように、ユポ・コーポレーション製の合成紙であるユポ（登録商標）ＳＧ９０を用いている。
接着層１１２は、表面層１１１と基材層１１３とを接着する接着剤の層である。
基材層１１３は、透明なＰＥＴ（Polyethylene Terephthalate）樹脂シートにより形成されている。
【００２５】
粘着層１２０は、指紋封止シール１００（シール本体１１０）にシールとして貼り付け可能な粘着性を付与する層である。
封止シール台紙１３０は、指紋封止シール１００の最裏面に設けられた層であり、粘着層１２０と接触する側には、剥離性の高い処理が施されているか、又は、剥離層（不図示）が設けられている。
【００２６】
また、指紋封止シール１００は、情報表示領域１００ａと、折り曲げ予定位置表示部１００ｂと、ミシン目１００ｃと、タンパーカット１００ｄと、スリット１００ｅとを有している。
【００２７】
情報表示領域１００ａは、表面に情報の表示が可能な領域である。本実施形態では、情報表示領域１００ａは、３領域が隣り合って設けられ、かつ、その３領域の天地方向の下方が隣り合うようにして、６領域設けられている。１つの情報表示領域１００ａには、記入欄として、例えば、年月日欄、Ｎｏ．欄、採取場所及び事件名欄、採取物件欄、立会人名欄、採取者名欄等を有している。
【００２８】
折り曲げ予定位置表示部１００ｂは、指紋封止シール１００の長手方向に延在する太い黒線である。この折り曲げ予定位置表示部１００ｂは、情報表示領域１００ａの天地方向の上方に設けられている。
【００２９】
ミシン目１００ｃは、６つの情報表示領域１００ａを分離可能とさせるように形成された切り取り容易化部である。ミシン目１００ｃは、シール本体１１０及び封止シール台紙１３０を貫通するように形成されている。したがって、封止シール台紙１３０を剥がすことなく、指紋封止シール１００を情報表示領域１００ａ毎に切り離すことができる。
【００３０】
タンパーカット１００ｄは、シール本体１１０に設けられた貼り替え防止用切り込みである。本実施形態のタンパーカット１００ｄは、情報表示領域１００ａの外周部分全体に一定間隔で直線形状に設けられた部分と、その近傍に×形状に設けられた部分と、情報表示領域１００ａ内の立会人印部分に井形状に設けられた部分とがある。なお、タンパーカット１００ｄは、情報表示領域１００ａの外周部分のみに設けてもよいし、情報表示領域１００ａ内のみに設けてもよい。なお、タンパーカット１００ｄは、封止シール台紙１３０については設けられていない。
【００３１】
スリット１００ｅは、折り曲げ予定位置表示部１００ｂにより表示される折り曲げ予定位置に沿って、封止シール台紙１３０に設けられている。スリット１００ｅは、指紋封止シール１００を裏面側に凸となるように軽く折り曲げる等することにより、封止シール台紙１３０の剥離を容易に行えるようにする機能を有している。
【００３２】
図３は、本実施形態の指紋封止シール１００により封止される指紋採取シート２００を示す図である。
指紋採取シート２００は、透明基材層２０１と、指紋採取層２０２と、採取シート台紙２０３とを順に積層して形成されている。
透明基材層２０１は、透明な樹脂素材により形成されたフィルムにより形成されている。
【００３３】
指紋採取層２０２は、透明基材層２０１と採取シート台紙２０３との間に挟まれる位置に設けられた粘着層である。この指紋採取層２０２の粘着性により、指紋部分にふりかけられて指紋の稜線部分に残留した微粉末を写し取って採取する。
【００３４】
採取シート台紙２０３は、指紋採取層２０２と接触して設けられた台紙であり、指紋採取層２０２と接触する側には、剥離性の高い処理が施されているか、又は、剥離層（不図示）が設けられている。なお、採取シート台紙２０３は、黒色のものと、白色のものとがある。指紋採取に用いる微粉末には、黒色のものと、白色のものとがあり、黒色の微粉末を用いる場合には、採取シート台紙２０３は、白色のものを用いると、採取後の指紋確認をし易くなる。逆に、白色の微粉末を用いる場合には、採取シート台紙２０３は、黒色のものを用いると、採取後の指紋確認をし易くなる。
【００３５】
次に、指紋封止シール１００を用いて指紋採取シート２００により採取した指紋を封止する方法を説明する。
図４は、指紋封止シール１００を用いて指紋採取シート２００により採取した指紋を封止する第１の過程を示す図である。なお、図４から図８では、指紋採取シート２００の指紋採取層２０２については、図示を省略する。
まず、指紋採取シート２００の採取シート台紙２０３を剥がした状態で、指紋Ｓを指紋採取シート２００の指紋採取層２０２に採取する。
【００３６】
次に、指紋封止シール１００をミシン目１００ｃに沿って封止シール台紙１３０ごと切り取り、ひとつの情報表示領域１００ａだけの指紋封止シール１００とする。そして、指紋封止シール１００から封止シール台紙１３０を剥がす。このとき、スリット１００ｅを利用することにより、封止シール台紙１３０を容易に剥がすことができる。封止シール台紙１３０を剥がした指紋封止シール１００を、指紋採取シート２００の透明基材層２０１上であって、採取した指紋Ｓと重なる位置に貼り付ける。なお、情報表示領域１００ａ上への各種情報の記入は、指紋封止シール１００を指紋採取シート２００へ貼る前であってもよいし、貼った後であってもよい。
【００３７】
図５は、指紋封止シール１００を用いて指紋採取シート２００により採取した指紋を封止する第２の過程を示す図である。
指紋封止シール１００を指紋採取シート２００へ貼るときには、折り曲げ予定位置表示部１００ｂの黒線を指紋採取シート２００の辺に合わせて貼る。この状態で、折り曲げ予定位置表示部１００ｂ部分で表側を山となるようにして折り返し、透明基材層２０１と採取シート台紙２０３とを繋げるようにして封止を行う。
【００３８】
図６は、指紋封止シール１００を用いて指紋採取シート２００により採取した指紋を封止する第３の過程を示す図である。
指紋封止シール１００を指紋採取シート２００へ貼り付けただけでは、面積の大きな指紋採取シート２００のごく一部のみを利用している状態である。この状態では、証拠品として保管するときに嵩張る。また、指紋採取シート２００の使用していない部分の再利用にも支障がある。そこで、指紋採取シート２００を、例えば、図６中に示した一点鎖線Ｃのように、指紋封止シール１００に沿ってはさみやカッター等を用いて切断する。なお、この一点鎖線Ｃは、説明上図示したものであり、このような線が指紋採取シート２００に示されているのではない。
【００３９】
図７は、指紋封止シール１００を用いて指紋採取シート２００により採取した指紋を封止する第４の過程を示す図である。
指紋封止シール１００を用いて封止された後に切断された指紋採取シート２００は、図７に示すように取り扱いが容易な形態となる。また、図７に示した部分を切り取られた残りの指紋採取シート２００は、異物等の付着がないことを確認した後に、新たな指紋採取に利用できる。
【００４０】
図８は、指紋封止シール１００を用いて封止した指紋採取シート２００を利用するときの状態を示す図である。
指紋封止シール１００を用いて封止された後に切断された指紋採取シート２００は、採取シート台紙２０３を透明基材層２０１と指紋採取層２０２とから剥がすことにより、簡単に指紋を確認できる。また、指紋封止シール１００を不正の目的等で剥がそうとすると、指紋採取シート２００に貼られた指紋封止シール１００の外周部分には、タンパーカット１００ｄが有ることから、指紋封止シール１００がタンパーカット１００ｄ部分で裂けて、貼り替えを防止できる。
【００４１】
以上説明したように、本実施形態によれば、従来から用いられている面積の大きな指紋採取シート２００を用いた場合であっても、採取した指紋自体とその指紋に関連した各種情報とを関連付けた状態で保存できる。しかも、後から指紋を確認する作業も容易である。よって、証拠品としての取り扱いを容易にできる。また、タンパーカット１００ｄを有していることから、採取した指紋についての改ざんを防止できる。
【００４２】
（変形形態）
以上説明した実施形態に限定されることなく、種々の変形や変更が可能であって、それらも本発明の範囲内である。
（１）本実施形態において、指紋封止シール１００には、情報表示領域１００ａが６面付けされている例を挙げて説明した。これに限らず、例えば、３面付け等、その数は適宜変更可能である。したがって、１面付け、すなわち、情報表示領域１００ａに相当する大きさに予め切断した形態としてもよい。
【００４３】
（２）本実施形態において、指紋封止シール１００のシール本体１１０は、表面層１１１と、接着層１１２と、基材層１１３とを有している例を挙げて説明した。これに限らず、例えば、表面層と基材層とを兼ねた１つの表面基材層によりシール本体を形成してもよい。
【００４４】
（３）本実施形態において、折り曲げ予定位置表示部１００ｂは、印刷形成された線により形成されている例を挙げて説明した。これに限らず、例えば、切り欠き形状や貫通孔等、他の形態により形成してもよい。
【００４５】
（４）本実施形態において、指紋封止シール１００を用いて面積の大きな指紋採取シート２００に採取した指紋の封止を行う例を挙げて説明した。これに限らず、例えば、指紋封止シール１００は、指紋封止シール１００と同程度の大きさの指紋封止シールに採取した指紋の封止を行うときに用いてもよい。
【００４６】
なお、実施形態及び変形形態は、適宜組み合わせて用いることもできるが、詳細な説明は省略する。また、本発明は以上説明した実施形態によって限定されることはない。
【符号の説明】
【００４７】
１００    指紋封止シール
１００ａ  情報表示領域
１００ｂ  予定位置表示部
１００ｃ  ミシン目
１００ｄ  タンパーカット
１００ｅ  スリット
１１０    シール本体
１１１    表面層
１１２    接着層
１１３    基材層
１２０    粘着層
１３０    封止シール台紙
２００    指紋採取シート
２０１    透明基材層
２０２    指紋採取層
２０３    採取シート台紙
【図１】
2011188902.tif 000003
【図２】
2011188902.tif 000004
【図３】
2011188902.tif 000005
【図４】
2011188902.tif 000006
【図５】
2011188902.tif 000007
【図６】
2011188902.tif 000008
【図７】
2011188902.tif 000009
【図８】
2011188902.tif 000010